(57)【特許請求の範囲】
【請求項１】
記録ヘッド及びシート搬送機構部が複数のフレームに支持されて構成された記録装置本体がケース内に収納され、上記シート搬送機構部にて搬送されたシートに上記記録ヘッドが画像を記録する記録装置において、
制御基板を遮蔽し、且つアース可能に設けられるとともに、上記ケースに固定されたシールドプレートに介在部材が片持ち状態で取り付けられ、この介在部材は、接地されるべき複数の上記フレームに接触可能に設けられるとともに、これらのフレームとの複数の接触箇所の範囲内で、上記ケースに形成された支持部材により支持可能に構成され、上記ケース内に記録装置本体が収納されたとき、介在部材は、上記支持部材と上記フレームとにより押圧されて撓み変形すると同時に、介在部材は、上記フレームに所定圧以上の接触圧を付与して接触し、上記フレームと介在部材との間で通電が良好になされる構成としたことを特徴とする記録装置。
【発明の詳細な説明】
【０００１】
【発明の属する技術分野】
本発明は、接地されるべき複数の対象物を安定して接地させる接地構造、及びこの接地構造を備えた記録装置に関する。
【０００２】
【従来の技術】
従来の記録装置には、記録ワイヤを具備する記録ヘッドや、プラテンを具備するシート搬送機構部を有する記録装置本体のベースフレーム及びシート案内フレームに各種の電気部品が設置されていること等から、これらのベースフレーム及びシート案内フレームが接地されるよう構成されたものがある。このような接地構造では、ベースフレーム及びシート案内フレームが金属製のサイドフレームにより一体化されているため、これらのベースフレームまたはシート案内フレームのいずれか一方を介在部材を介して、接地部材として機能するシールドプレートに接触させることにより、ベースフレーム及びシート案内フレームは、このシールドプレートにより安定して接地される構造となっている。
【０００３】
【発明が解決しようとする課題】
ところが、サイドフレームが金属製でなく樹脂製である場合、ベースフレーム及びシート案内フレームが安定して接地されるためには、これらのベースフレームとシート案内フレームのそれぞれが別個の介在部材に接触され、これらの介在部材を介してシールドプレートにより接地される必要があり、部品点数が増大してしまう。
【０００４】
本発明の目的は、上述の事情を考慮してなされたものであり、接地されるべき複数の対象物（フレーム）の接地を安定して実施できる接地構造及び記録装置を提供することにある。
【０００５】
【課題を解決するための手段】
請求項１に記載の発明は、記録ヘッド及びシート搬送機構部が複数のフレームに支持されて構成された記録装置本体がケース内に収納され、上記シート搬送機構部にて搬送されたシートに上記記録ヘッドが画像を記録する記録装置において、制御基板を遮蔽し、且つアース可能に設けられるとともに、上記ケースに固定されたシールドプレートに介在部材が片持ち状態で取り付けられ、この介在部材は、接地されるべき複数の上記フレームに接触可能に設けられるとともに、これらのフレームとの複数の接触箇所の範囲内で、上記ケースに形成された支持部材により支持可能に構成され、上記ケース内に記録装置本体が収納されたとき、介在部材は、上記支持部材と上記フレームとにより押圧されて撓み変形すると同時に、介在部材は、上記フレームに所定圧以上の接触圧を付与して接触し、上記フレームと介在部材との間で通電が良好になされる構成としたことを特徴とする。
【００１３】
図１は、本発明に係る記録装置の一実施の形態が適用されたドットインパクトプリンタを示す斜視図である。図２は、図１のアッパケースを除いたプリンタ本体等を示す斜視図である。
【００１４】
これらの図に示す記録装置としてのプリンタ１０は、記録ヘッドの図示しない多数の記録ワイヤを、インクリボン（図示せず）を介してシートＳ（図４）に打ち付けてドットを記録することにより、文字を含む画像を記録するドットインパクトプリンタである。ここに、上記シートＳは、単票紙及び複写紙等の普通紙、ＯＨＰ（オーバーヘッドプロジェクタ）シート、コート紙またはフィルム等である。
【００１５】
このプリンタ１０は、図３に示すように、記録装置本体としてのプリンタ本体１１と、このプリンタ本体１１に着脱自在に装着されたプッシュトラクタユニット１２及び排出ユニット１３と、同じくプリンタ本体１１に着脱自在に装着されたシート供給ガイド２６と、プリンタ本体１１の上方、下方をそれぞれ覆うアッパケース２７及びロアケース２８と、を有して構成される。
【００１６】
上記プリンタ本体１１は、図２〜図４（特に図４）に示すように、本体フレームとしてのベースフレーム１４、シート案内フレーム１５、左サイドフレーム１６及び右サイドフレーム１７と、記録ヘッド１８及びキャリッジ１９を備えた印刷機構部２０と、プラテン２１、シート案内２２及びピンチローラ２９を備えたシート搬送機構部２３と、を有して構成される。
【００１７】
ベースフレーム１４及びシート案内フレーム１５の両端部は、左サイドフレーム１６及び右サイドフレーム１７に結合される。ベースフレーム１４及びシート案内フレーム１５は金属板により構成されるが、左サイドフレーム１６及び右サイドフレーム１７は樹脂により構成される。従って、ベースフレーム１４とシート案内フレーム１５は、互いに電気的に絶縁された状態となっている。
【００１８】
図３及び図４に示すプッシュトラクタユニット１２は、シートＳ（図４）としての連続紙をシート搬送機構部２３へ送り出し、シート供給ガイド２６は、シートＳとしての単票紙を１枚づつ手差しで、シート搬送機構部２３へ供給する。また、排出ユニット１３は、連続紙または単票紙をシート搬送機構部２３からプリンタ１０外へ引き出すものである。
【００１９】
つまり、プッシュトラクタユニット１２のトラクタベルト３０（図３）の回転により、連続紙は、シート搬送機構部２３のシート案内２２に案内され、このシート案内２２とプラテン２１との間に形成されるシート搬送経路３１を経てプラテン２１へ向い、矢印Ａ方向に送給される。このプッシュトラクタユニット１２の非動作時に、シート供給ガイド２６から手差しによって単票紙が一枚づつ、シート搬送経路３１を経てプラテン２１へ供給可能とされる。
【００２０】
また、排出ユニット１３の排出ローラ２５の回転により、後述のごとく記録ヘッド１８により文字等が記録された連続紙または単票紙は、シート搬送機構部２３のプラテン２１から矢印Ｂ方向に引き出される。これにより、連続紙または単票紙は、キャリッジ１９の後述の主走査方向に直交する副走査方向に搬送される。
【００２１】
前記キャリッジ１９は、キャリッジガイド軸２４に摺動自在に挿通されると共に、記録ヘッド１８を搭載する。キャリッジガイド軸２４がプラテン２１と平行に配置されることから、キャリッジ１９は、これらのプラテン２１及びキャリッジガイド軸２４の軸方向と一致する主走査方向に、キャリッジガイド軸２４に案内されて移動（走査）可能に設けられる。
【００２２】
前記記録ヘッド１８は多数の記録ワイヤ（不図示）を備え、これらの記録ワイヤの突出方向前方に図示しないインクリボンが位置する。記録ヘッド１８は、キャリッジ１９と共に主走査方向に走査する間に、記録ワイヤを突出させてインクリボンに打ち当て、インクリボンのインクをプラテン２１と記録ヘッド１８との間に搬送されるシートＳ（連続紙または単票紙）に付着させて、このシートＳに文字を含む画像を記録する。
【００２３】
記録ヘッド１８による記録動作は、キャリッジ１９が主走査方向左向きまたは右向きに走査する間に、記録ヘッド１８の記録ワイヤにより一行分の記録がなされ、この一行分の記録がなされる度に、シート搬送機構部２３のプラテン２１、ピンチローラ２９，プッシュトラクタユニット１２，排出ユニット１３が、シートＳを所定量（通常行間分）搬送させ、これらの動作が繰り返されることにより実施される。
【００２４】
尚、図４に示す符号３２は、ベースフレーム１４とシート案内フレーム１５との間に開口して形成されて、プリンタ１０の下方からシート搬送機構部２３内へシートＳとしての連続紙を供給するためのボトムシート供給口である。
【００２５】
ところで、上述のようなプリンタ１０では、図２〜図４（特に図４）に示すように、ロアケース２８内の後方部に制御基板４０が、ロアケース２８内の中央部及び後方部にプリンタ本体１１がそれぞれ設置されている。上記制御基板４０は、プラテン２１、プッシュトラクタユニット１２、排出ユニット１３の制御、キャリッジ１９の制御、記録ヘッド１８の記録ワイヤによる記録動作の制御等を実行するものである。この制御基板４０は、シールドプレート４１により覆われて、電磁気的に遮蔽されている。
【００２６】
シールドプレート４１は、上述のように制御基板４０を電磁気的に遮蔽すると共に、接地端子が設けられてアース可能に構成され、接地部材としても機能する。更に、このシールドプレート４１には、図３、図５及び図６に示すように、介在部材４２が片持ち状態で係止されて、接地構造５０が構成される。
【００２７】
この接地構造５０の介在部材４２は、図２に示すように、ロアケース２８においてボトムシート供給口３２の左右両側に配置される。各介在部材４２は、図６及び図７に示すように、パネル部４３と、このパネル部４３の両端から互いに反対方向にほぼ直角に屈曲された基端部４４及び先端部４５とを有してなり、更にパネル部４３に舌片部４６が一体に設けられたものである。
【００２８】
介在部材４２の基端部４４及び先端部４５はパネル部４３に一体成形され、基端部４４がシールドプレート４１に係止可能に構成される。また、先端部４５は、ベースフレーム１４に接触可能に設けられる。更に、舌片部４６は、先端部４５と同一方向に屈曲されて、シート案内フレーム１５に接触可能に構成される。これらのベースフレーム１４及びシート案内フレーム１５は、各種の電気部品が設置されているため、更に、制御基板４０からのノイズを増幅して出射させないために、接地されるべき対象物となっている。
【００２９】
介在部材４２は、更に、ロアケース２８に突設された支持部材としての支持ボス４７により、そのパネル部４３が支持されている。パネル部４３が支持ボス４７により支持される位置は、ベースフレーム１４に接触する先端部４５と、シート案内フレーム１５に接触する舌片部４６との範囲Ｌ内に位置付けられる。
【００３０】
これにより、介在部材４２がロアケース２８に図２に示すように取り付けられた状態で、このロアケース２８内にプリンタ本体１１が収納されたとき、介在部材４２は、パネル部４３における支持ボス４７支持位置よりも先端部４５側部分が、プリンタ本体１１のベースフレーム１４により押圧されて撓み変形する。と同時に、介在部材４２の舌片部４６も、プリンタ本体１１のシート案内フレーム１５により押圧されて撓み変形する。従って、介在部材４２は、ベースフレーム１４及びシート案内フレーム１５に所定圧以上の接触圧を付与して接触し、これらのベースフレーム１４及びシート案内フレーム１５と介在部材４２との間で通電が良好になされる。この結果、接地されるべきベースフレーム１４及びシート案内フレーム１５は、介在部材４２を介してシールドプレート４１により安定した接地が得られることになる。
【００３１】
以上のことから上記実施の形態では、次の効果（１）及び（２）を奏する。
【００３２】
（１）シールドプレート４１に取り付けられて、接地されるべきベースフレーム１４及びシート案内フレーム１５に接触可能に設けられた介在部材４２が、ベースフレーム１４に接触する先端部４５と、シート案内フレーム１５に接触する舌片部４６との範囲Ｌ内で、ロアケース２８に形成された支持ボス４７により支持可能に構成されたことから、介在部材４２におけるパネル部４３の先端部４５側部分と舌片部４６とは、ベースフレーム１４、シート案内フレーム１５にそれぞれ接触して撓み変形し、これらのベースフレーム１４、シート案内フレーム１５のそれぞれと、良好な通電がなされるように所定圧以上の接触圧で接触する。この結果、ベースフレーム１４及びシート案内フレーム１５の接地性能が、介在部材４２及びシールドプレート４１を介して良好に確保されるので、これらベースフレーム１４及びシート案内フレーム１５の接地を安置して実施できる。
【００３３】
（２）介在部材４２が、接地されるべきベースフレーム１４及びシート案内フレーム１５に同時に接触可能に設けられることから、それぞれのベースフレーム１４及びシート案内フレーム１５に対応して介在部材４２を個別に設ける必要がないので、介在部材４２の部品点数を低減できる。
【００３４】
以上、本発明を上記実施の形態に基づいて説明したが、本発明はこれに限定されるものではない。
【００３５】
例えば、上記実施の形態では、接地されるべき対象物がベースフレーム１４とシート案内フレーム１５の２つの場合を述べたが、３つ以上あってもよい。
【００３６】
また、上記実施の形態では、支持ボス４７は、介在部材４２における範囲Ｌ内に１つ設けられるものを述べたが、この範囲Ｌ内に２以上設置されてもよい。
【００３７】
更に、上記実施の形態では、接地構造５０がドットインパクトプリンタ１０に適用されるものを述べたが、この接地構造５０は、インクジェットプリンタ、ページプリンタ（レーザプリンタ）、イメージスキャナ等にも適用可能である。
【００３８】
【発明の効果】
以上のように、請求項１に記載の発明に係る記録装置によれば、記録ヘッド及びシート搬送機構部が複数のフレームに支持されて構成された記録装置本体がケース内に収納され、上記シート搬送機構部にて搬送されたシートに上記記録ヘッドが画像を記録する記録装置において、制御基板を遮蔽し、且つアース可能に設けられたシールドプレートに介在部材が取り付けられ、この介在部材は、接地されるべき複数の上記フレームに接触可能に設けられるとともに、これらのフレームとの複数の接触箇所の範囲内で、上記ケースに形成された支持部材により支持可能に構成されたことから、接地されるべき複数のフレームの接地を安定して実施できる。
【図面の簡単な説明】
【図１】本発明に係る記録装置の一実施の形態が適用されたドットインパクトプリンタを示す斜視図である。
【図２】図１のアッパケースを除いたプリンタ本体等を示す斜視図である。
【図３】図１のIII−III線に沿う断面図である。
【図４】図２のIV−IV線に沿う概略断面図である。
【図５】図３の一部を拡大して示す断面図である。
【図６】図５の要部を更に拡大して示す断面図である。
【図７】図２の介在部材を拡大して示す斜視図である。
【符号の説明】
１０  プリンタ（記録装置）
１１  プリンタ本体（記録装置本体）
１４  ベースフレーム（対象物）
１５  シート案内フレーム（対象物）
２３  シート搬送機構部
２８  ロアケース
４０  制御基板
４１  シールドプレート（接地部材）
４２  介在部材
４５  介在部材の先端部
４６  介在部材の舌片部
４７  支持ボス（支持部材）
５０  接地構造
Ｌ  範囲
Ｓ  シート
【図１】
0004003379.tif 000002
【図２】
0004003379.tif 000003
【図３】
0004003379.tif 000004
【図４】
0004003379.tif 000005
【図５】
0004003379.tif 000006
【図６】
0004003379.tif 000007
【図７】
0004003379.tif 000008